(57)【要約】【課題】利便性を低下させることなく、電池の容量劣化を軽減する。【解決手段】電子機器は、充電池２０を充電への充電を検出し、充電池２０へ充電するか否かを制御する充電部２１と、当該機器の設定状態を判定する設定状態判定部２２と、充電池２０の電池残量を検出する電池残量検出部２５と、充電部２１が充電を検出した際に、電池残量検出部２５によって充電池２０の残量が所定の値以上であると検出された場合、あるいは、充電池２０の残量が所定の値より少ないと検出されかつ当該機器の設定状態が所定の状態であると判定された場合に、表示部２３に充電の要否を表示し、該表示後に、入力検出部２４が充電の要の入力を検出した場合に充電部２１に充電開始を指示する一方、入力検出部２４が否の入力を検出した場合に充電部２１に充電停止を指示する制御部２６とを備えている。【選択図】図８
2014168327.tif 000002
【特許請求の範囲】
【請求項１】
充電池と、
前記充電池への充電を検出し、前記充電池へ充電するか否かを制御する充電部と、
電子機器の設定状態を判定する設定状態判定部と、
表示部と、
入力検出部と、
前記充電池の電池残量を検出する電池残量検出部と、
前記充電部が充電を検出した際に、前記電池残量検出部によって前記充電池の残量が所定の値以上であると検出された場合、あるいは、前記電池残量検出部によって前記充電池の残量が所定の値より少ないと検出されかつ前記設定状態判定部によって当該電子機器の設定状態が所定の状態であると判定された場合に、前記表示部に充電の要否を表示し、該表示後に、前記入力検出部が充電の要の入力を検出した場合に前記充電部に充電開始を指示する一方、前記入力検出部が否の入力を検出した場合に前記充電部に充電停止を指示する制御部と、
を備えることを特徴とする電子機器。
【請求項２】
前記制御部は、前記充電部が充電を検出した際に、前記電池残量検出部によって前記充電池の残量が所定の値より少ないと検出され、かつ前記設定状態判定部によって当該電子機器の設定状態が所定の状態でないと判定された場合に、前記表示部に充電の要否を表示することなく、前記充電部に充電開始を指示する、
ことを特徴とする請求項１に記載の電子機器。
【請求項３】
前記設定状態判定部は、現在時刻が当該電子機器に予め設定されているユーザの就寝時間帯に含まれない場合に、前記所定の状態でないと判定する、
ことを特徴とする請求項２に記載の電子機器。
【請求項４】
前記設定状態判定部は、更に、当該電子機器にアラーム設定がない場合に、前記所定の状態でないと判定する、
ことを特徴とする請求項３に記載の電子機器。
【請求項５】
前記設定状態判定部は、更に、現時点から充電を開始した場合に、アラーム時刻までに充電が完了しない場合に、前記所定の状態でないと判定する、
ことを特徴とする請求項４に記載の電子機器。
【請求項６】
前記制御部は、前記充電部が充電を検出した際に、前記電池残量検出部によって前記充電池の残量が所定の値より少ないと検出され、かつ前記設定状態判定部によって、現在時刻が前記ユーザの就寝時間帯であると判定され、かつアラーム設定があると判定され、かつアラーム時刻までに充電が完了すると判定された場合には、前記表示部に充電の要否を表示し、該表示後に、前記入力検出部が充電の要の入力を検出した場合に前記充電部に充電開始を指示する一方、前記入力検出部が否の入力を検出した場合に前記充電部に充電停止を指示する、
ことを特徴とする請求項５に記載の電子機器。
【請求項７】
現在時刻とアラーム時刻とに基づいて、充電開始時刻を算出する充電開始時刻算出部を更に備え、
前記制御部は、前記入力検出部が充電の要の入力を検出した場合に、前記充電開始時刻算出部によって算出された充電開始時刻に、前記充電部に充電開始を指示する、
ことを特徴とする請求項６に記載の電子機器。
【請求項８】
前記制御部は、前記表示部に充電の要否を表示する際に、このまま充電を開始すると電池容量劣化につながる旨の警告を前記表示部に表示する、
ことを特徴とする請求項１から７のいずれかに記載の電子機器。
【請求項９】
充電池と表示部と入力検出部とを備える電子機器での前記充電池への充電を制御する充電制御方法であって、
前記充電池への充電を検出する充電検出ステップと、
前記電子機器の設定状態を判定する設定状態判定ステップと、
前記充電池の電池残量を検出する電池残量検出ステップと、
前記充電池への充電が検出された際に、前記充電池の残量が所定の値以上であると検出された場合、あるいは、前記充電池の残量が所定の値より少ないと検出されかつ前記電子機器の設定状態が所定の状態であると判定された場合に、前記表示部に充電の要否を表示し、該表示後に、前記入力検出部によって充電の要の入力が検出された場合に前記充電池への充電を開始する一方、前記入力検出部によって否の入力が検出された場合に前記充電池への充電を停止する制御ステップと、
を備えることを特徴とする充電制御方法。
【請求項１０】
充電池と表示部と入力検出部とを備える電子機器のコンピュータに、
前記充電池への充電を検出する充電検出機能、
前記電子の設定状態を判定する設定状態判定機能、
前記充電池の電池残量を検出する電池残量検出機能、
前記充電池への充電が検出された際に、前記充電池の残量が所定の値以上であると検出された場合、あるいは、前記充電池の残量が所定の値より少ないと検出されかつ前記電子の設定状態が所定の状態であると判定された場合に、前記表示部に充電の要否を表示し、該表示後に、前記入力検出部によって充電の要の入力が検出された場合に前記充電池への充電を開始する一方、前記入力検出部によって否の入力が検出された場合に前記充電池への充電を停止する制御機能、
を実行させることを特徴とするプログラム。
【発明の詳細な説明】
【技術分野】
【０００１】
本発明は、電子機器、充電制御方法、及びプログラムに関する。
【背景技術】
【０００２】
近年、携帯電話機、スマートフォンを始めとする携帯端末装置では、電源として、リチウムイオン電池という充電可能な電池が採用されている。該リチウムイオン電池は、エネルギー密度が非常に高く、今日の携帯電話機の小型化に大きく貢献しており、また、継ぎ足し充電が原因による容量劣化が無いため、ユーザの使い勝手も大幅に改善していることが、一般的に広く普及している要因である。
【０００３】
一方で、リチウムイオン電池には、電池容量を劣化させてしまう三大要素があることも一般的に知られており、それが「サイクル劣化」、「保存劣化」、「温湿度劣化」である。「サイクル劣化」は、充放電を何度も繰り返すことによる容量劣化である。個体差はあるものの、一般的には、約６００回辺りから顕著に劣化が始まり、７００〜８００回位程度で容量が半分程度に劣化してしまうと言われている。また、「保存劣化」は、充電された状態にて長時間保管することによる容量劣化である。特に、満充電の状態で保存することによる劣化が顕著であると言われている。そして、「温湿度劣化」は、高温多湿の場所に電池を長時間放置することによる容量劣化である。
【０００４】
上述した携帯端末装置は、エンターテイメント化が進み、多機能、高性能化が進む反面、消費電力が増加する傾向にあり、ユーザにとっては、電池の減りが以前の古い携帯電話機と比較して気になってしまう傾向にある。
【０００５】
そのため、常に満充電でなければ不安になってしまい、まだ充分な電池残量であるにも関わらず頻繁に充電したり、朝に携帯電話機が満充電でないと不安であるため、就寝時に習慣的に充電器に挿してそのまま就寝したり、満充電の状態での保管時間を増やしてしまったりということで、電池の容量劣化を加速させてしまう傾向にある。
【０００６】
例えば、特許文献１には、電池残量が所定の閾値以下の場合には、すぐに充電を開始する一方、電池残量が所定の閾値より大きい場合には、現在時刻と予定時刻との間の時間が満充電必要時間以下になった時点で、充電を開始するよう制御する技術が提案されている。また、特許文献１には、アラーム時刻が設定されている場合、アラーム時刻に合わせて電池が満充電となるように充電開始時刻を制御する技術が提案されている。
【先行技術文献】
【特許文献】
【０００７】
【特許文献１】特開２０１１−０６２０２８号公報
【発明の概要】
【発明が解決しようとする課題】
【０００８】
ところで、例えば、ユーザがあと数時間後に外出するので、外出前に充電しようとした場合、まだ充分な電池残量（例えば８０％）であったとしても、すぐに充電を開始して満充電、あるいは満充電に近い状態にする方がユーザにとっては好ましい。
【０００９】
しかしながら、上記特許文献１の技術では、例えば、あと数時間後に外出する場合であっても、まだ充分な電池残量（例えば８０％）であれば充電されないなど、ユーザの生活行動が十分に考慮されていないため、ユーザの利便性を低下させてしまうという問題があった。
【００１０】
そこで本発明は、利便性を低下させることなく、充電池の容量劣化を軽減することができる電子機器、充電制御方法、及びプログラムを提供することを目的とする。
【課題を解決するための手段】
【００１１】
本発明の電子機器は、充電池と、前記充電池への充電を検出し、前記充電池へ充電するか否かを制御する充電部と、電子機器の設定状態を判定する設定状態判定部と、表示部と、入力検出部と、前記充電池の電池残量を検出する電池残量検出部と、前記充電部が充電を検出した際に、前記電池残量検出部によって前記充電池の残量が所定の値以上であると検出された場合、あるいは、前記電池残量検出部によって前記充電池の残量が所定の値より少ないと検出されかつ前記設定状態判定部によって当該電子機器の設定状態が所定の状態であると判定された場合に、前記表示部に充電の要否を表示し、該表示後に、前記入力検出部が充電の要の入力を検出した場合に前記充電部に充電開始を指示する一方、前記入力検出部が否の入力を検出した場合に前記充電部に充電停止を指示する制御部と、を備えることを特徴とする電子機器である。
【００１２】
本発明の充電制御方法は、充電池と表示部と入力検出部とを備える電子機器での前記充電池への充電を制御する充電制御方法であって、前記充電池への充電を検出する充電検出ステップと、前記電子機器の設定状態を判定する設定状態判定ステップと、前記充電池の電池残量を検出する電池残量検出ステップと、前記充電池への充電が検出された際に、前記充電池の残量が所定の値以上であると検出された場合、あるいは、前記充電池の残量が所定の値より少ないと検出されかつ前記電子機器の設定状態が所定の状態であると判定された場合に、前記表示部に充電の要否を表示し、該表示後に、前記入力検出部によって充電の要の入力が検出された場合に前記充電池への充電を開始する一方、前記入力検出部によって否の入力が検出された場合に前記充電池への充電を停止する制御ステップと、を備えることを特徴とする充電制御方法である。
【００１３】
本発明のプログラムは、充電池と表示部と入力検出部とを備える電子機器のコンピュータに、前記充電池への充電を検出する充電検出機能、前記電子の設定状態を判定する設定状態判定機能、前記充電池の電池残量を検出する電池残量検出機能、前記充電池への充電が検出された際に、前記充電池の残量が所定の値以上であると検出された場合、あるいは、前記充電池の残量が所定の値より少ないと検出されかつ前記電子の設定状態が所定の状態であると判定された場合に、前記表示部に充電の要否を表示し、該表示後に、前記入力検出部によって充電の要の入力が検出された場合に前記充電池への充電を開始する一方、前記入力検出部によって否の入力が検出された場合に前記充電池への充電を停止する制御機能、を実行させることを特徴とするプログラムである。
【発明の効果】
【００１４】
この発明によれば、利便性を低下させることなく、電池の容量劣化を軽減することができる。
【図面の簡単な説明】
【００１５】
【図１】本発明の実施形態による電子機器として携帯電話機１の外観を示す斜視図である。
【図２】本実施形態による携帯電話機１の主要部分の構成を示すブロック図である。
【図３】本実施形態による携帯電話機１の充電制御動作を説明するためのフローチャートである。
【図４】本実施形態による携帯電話機１の充電制御動作を説明するためのフローチャートである。
【図５】本実施形態による携帯電話機１の充電制御動作時における表示例を示す模式図である。
【図６】本実施形態による携帯電話機１の充電制御動作時における表示例を示す模式図である。
【図７】本実施形態による携帯電話機１の充電制御動作時における表示例を示す模式図である。
【図８】付記１の構成を示すブロック図である。
【発明を実施するための形態】
【００１６】
以下、本発明の実施の形態を、図面を参照して説明する。
【００１７】
図１は、本発明の実施形態による電子機器として携帯電話機１の外観を示す斜視図である。図において、携帯電話機１は、筐体側面に充電端子挿入口２、筐体前面に表示部３を備えている。充電端子挿入口２は、通常、蓋部で覆われている。表示部３は、例えば液晶表示器（ＬＣＤ）などからなる。充電時には、充電器に接続された充電ケーブル４を充電端子挿入口２に挿入する。あるいは、充電ケーブル４の一方の接続端子をコンピュータなどのＵＳＢ挿入口に挿入し、他方の接続端子を充電端子挿入口２に挿入する形態もある。携帯電話機１は、充電ケーブル４が充電端子挿入口２に挿入されたことを検出して充電を開始する。
【００１８】
図２は、本実施形態による携帯電話機１の主要部分の構成を示すブロック図である。なお、図１に対応する部分には同一の符号を付けている。図２において、充電用端子部５は、図１に示す充電端子挿入口２に設けられており、充電ケーブル４が充電端子挿入口２に挿入されると、充電ケーブル４の端子部（図示略）と電気的に接続する。充電ケーブル４を介して供給される充電電流は、逆流防止用のダイオード、充電ＯＮ／ＯＦＦ切り替え用ＦＥＴ６を介して、ＬＳＩ（Large Scale Integration）７に供給される。ＬＳＩ７は、充電池８の電池残量に応じて充電を制御する。また、該ＬＳＩ７は、表示部（ＬＣＤ）３の表示制御も行う。充電池８は、充電可能な二次電池である。
【００１９】
また、本実施形態では、タッチパネル形式の携帯電話機１を想定している。すなわち、表示部（ＬＣＤ）３は、タッチパネル（入力検出部）９を備えている。表示部（ＬＣＤ）３の画面をタッチ操作することで、動作の選択や指示を入力することが可能となっている。但し、タッチパネル形式でない場合でもよく、その場合、ハードウェアによるキーや、ボタン、スイッチなど（入力検出部）で動作の選択や指示を入力するようにしてもよい。
【００２０】
また、タッチパネル９は、指やスタイラス（ペン）などの直接接触を検出する接触検出型、あるいは、指やスタイラス（ペン）などが近づいたことを検出する近接検出型からなる。タッチパネル９としては、例えば、表示部（ＬＣＤ）３の画面の全面にタッチセンサなどの検出部を重ね合わせた外付け型や、一体で製造されている内蔵型（内蔵型には、さらに、オンセル型とインセル型がある）であってもよい。また、タッチパネル９への入力操作子としては、上述したように、指やスタイラス（ペン）などを用いる。
【００２１】
以下、ＬＳＩ７による充電制御機能についてより詳細に説明する。
ＬＳＩ７は、ユーザが携帯電話機１の充電池８を充電するために充電ケーブル４を充電端子挿入口２に挿入したことを検出し、後述する制御の下、充電池８を充電する（充電部）。また、ＬＳＩ７は、充電池８の出力電圧から現在の電池残量を算出する（残量検出部）。また、ＬＳＩ７は、当該携帯電話機１の使用状態として、就寝時間帯（未使用時間帯）、アラーム時刻（使用開始時刻）、及び該アラーム時刻の設定有無を判定する（状態判定部）。
【００２２】
また、ＬＳＩ７は、現在の電池残量が８０％（デフォルト設定値であり、ユーザにより数値設定変更可能）以上である場合、高い頻度での充電が電池容量劣化になる可能性がある旨を警告するとともに、ユーザに充電を行うか充電を中止するかの選択を促し、ユーザ指示に従って、充電池８の充電開始、または充電中止を制御する（制御部）。
【００２３】
また、ＬＳＩ７は、電池残量が８０％以下であった場合には、以下の充電制御を行う（制御部）。まず、ＬＳＩ７は、現在時刻が就寝時間帯でない場合には、満充電のまま長時間保存してしまう可能性が低いので、すぐに充電を開始する。また、ＬＳＩ７は、現在時刻が就寝時間帯であった場合には、目覚まし用のアラーム時刻の設定有無を確認し、アラーム時刻の設定がない場合には、就寝予定がない、すなわち充電しすぎる可能性が低いので、すぐに充電を開始する。
【００２４】
また、ＬＳＩ７は、アラーム時刻の設定があった場合には、アラーム時刻までに充電が完了しない場合には、充電のまま長時間保存してしまう可能性が低いので、すぐに充電を開始する。また、ＬＳＩ７は、アラーム時刻の設定があった場合に、すぐに充電を開始すると、アラーム時刻前に充電が完了し、充電のまま長時間保存してしまう可能性があるので、満充電の状態を長時間維持すると電池容量劣化の一因になる旨を警告する。但し、すぐに充電可能なように選択肢を提示する。このとき、すぐに充電しない場合には、ＬＳＩ７は、アラーム時刻と充電池８を満充電するのに要する充電時間とに基づいて、アラーム時刻になるまでに充電が完了するように充電開始のタイミングを制御する。
【００２５】
次に、本実施形態の動作について説明する。
図３、及び図４は、本実施形態による携帯電話機１の充電制御動作を説明するためのフローチャートである。また、図５、図６、及び図７は、本実施形態による携帯電話機１の充電制御動作時における表示例を示す模式図である。
【００２６】
携帯電話機１のＬＳＩ７は、まず、充電ケーブル４が挿入されたか否かを判定する（ステップＳ１０）。より具体的には、ＬＳＩ７は、充電端子挿入口２の充電用端子部５に直流電圧が供給されているか否かで充電ケーブル４が挿入されたことを検知する。そして、充電ケーブル４が充電端子挿入口２に挿入されていない場合には（ステップＳ１０のＮＯ）、何もせず当該処理を終了する。
【００２７】
一方、ユーザが携帯電話機１の充電池８を充電するために、充電ケーブル４を充電端子挿入口２に挿入すると、充電ケーブル４が充電端子挿入口２に挿入されたことが検知されるので（ステップＳ１０のＹＥＳ）、ＬＳＩ７は、充電池８の出力電圧から現在の電池残量を算出し、該電池残量が８０％（デフォルト設定値の一例であり、ユーザにより数値設定変更可能）以上であるか否かを判別する（ステップＳ１２）。
【００２８】
そして、電池残量が８０％以上である場合には（ステップＳ１２のＹＥＳ）、ＬＳＩ７は、表示部３に「電池残量が○○％です。すぐに充電開始しますか？※高い頻度での充電は電池容量劣化の一因となります。（はい）（いいえ）」というメッセージをポップアップ表示する（図５参照）。なお、上記「○○％」には、算出した電池残量が表示される。また、「（はい）（いいえ）」は、タッチ操作で選択可能なボタンである。
【００２９】
ＬＳＩ７は、上記「はい」が選択されたか否かを判別する（ステップＳ１６）。そして、ユーザによって「いいえ」が選択された場合には（ステップＳ１６のＮＯ）、ＬＳＩ７は、充電を開始せずに、表示部３に「充電器を外し、引き続きご使用下さい。」というメッセージをポップアップ表示する（図６参照）。そして、当該処理を終了する。充電ケーブル４が外されると、ＬＳＩ７は、上記ポップアップ表示を消去し、待受け画面に戻る。
【００３０】
一方、ユーザによって「はい」が選択された場合には（ステップＳ１６のＹＥＳ）、ＬＳＩ７は、充電を開始する（ステップＳ２０）。このように、電池残量が８０％以上である場合には、上記注意を喚起するメッセージを表示し、ユーザに充電するか否かを意識的に選択させることで、充分な電池残容量があるにもかかわらず、不要な充電操作を繰り返すことを防ぐことができる。ＬＳＩ７は、充電を開始すると、上記ポップアップ表示を消去し、待受け画面に戻る。この場合、待受け画面に充電の進捗状況を表示するようにしてもよい。
【００３１】
一方、電池残量が８０％以上でない場合には（ステップＳ１２のＮＯ）、ＬＳＩ７は、携帯電話機１の時計機能による現在時刻が、就寝時間帯（例えば、２２：００〜０２：００）に含まれるか否かを判別する（ステップＳ２２）。なお、就寝時間帯は、予めユーザにより登録され、図示しないメモリに保持されているものとする。そして、現在時刻が就寝時間帯以外である場合には（ステップＳ２２のＮＯ）、満充電のまま長時間保存してしまう可能性が低いので、ＬＳＩ７は、充電池８の充電を開始する。
【００３２】
一方、現在時刻が就寝時間帯に含まれる場合には（ステップＳ２２のＹＥＳ）、アラーム機能の設定有無を確認する（ステップＳ２４）。そして、アラーム機能が設定されていない場合には（ステップＳ２４のＮＯ）、ＬＳＩ７は、そのまま充電池８の充電を開始する。
【００３３】
一方、現在時刻が就寝時間帯で（ステップＳ２２のＹＥＳ）、かつアラーム機能が設定されている場合には（ステップＳ２４のＹＥＳ）、アラーム時刻から満充電に必要な充電時間を差し引いた時刻を、現在時刻が過ぎているか否かを判定する（ステップＳ２６）。そして、アラーム時刻から満充電に必要な充電時間を差し引いた時刻を、現在時刻が過ぎている場合には（ステップＳ２６のＹＥＳ）、ＬＳＩ７は、すぐに充電池８の充電を開始する。
【００３４】
例えば、アラーム時刻が０４：３０で、充電時間が１８０分であった場合、現座時刻が、０１：３０（＝０４：３０−１８０分）を過ぎている場合には、すぐに充電を開始しても、アラーム時刻（起きる時刻）に達した時点では満充電となっていない。アラーム時刻（起床時刻）でユーザが目覚めることになり、満充電のまま長時間保存してしまう可能性が低いので、すぐに充電を開始する。
【００３５】
一方、現在時刻がアラーム時刻から満充電に必要な充電時間を差し引いた時刻を過ぎていない場合には（ステップＳ２６のＮＯ）、ＬＳＩ７は、表示部３に「今すぐに充電を開始しますか？（いいえ）を選択すると、アラーム時刻の○○時○○分に充電完了します。（はい）（いいえ）※満充電の状態を長時間維持すると電池容量劣化の一因となります。」というメッセージをポップアップ表示する（図７参照）。なお、上記「○○時○○分」は、ユーザが設定したアラーム時刻である。また、「（はい）（いいえ）」は、タッチ操作で選択可能なボタンである。
【００３６】
ここで、ユーザによって「はい」が選択された場合には（ステップＳ３０のＹＥＳ）、ＬＳＩ７は、すぐに充電を開始する（ステップＳ２０）。一方、ユーザによって「いいえ」が選択された場合には（ステップＳ３０のＮＯ）、ＬＳＩ７は、アラーム時刻から満充電に必要な充電時間を差し引いた時刻に充電を開始する（ステップＳ３２）。例えば、充電開始時刻、または現在時刻から充電開始時刻までの時間を、タイマにセットし、タイムアップした時点で充電を開始すればよい。これにより、アラーム時刻には充電が完了していることになる。
【００３７】
上述した実施形態によれば、充電池６の残量が８０％以上であると検出された場合に、充分な電池残容量があるにもかかわらず、ユーザが不要な充電操作を繰り返してしまう「サイクル劣化」により電池容量が劣化する旨を警告するメッセージとともに、充電の要否を表示部３に表示し、ユーザが充電の要を入力した場合に充電を開始し、ユーザが否を入力した場合に充電を実行しないようにしたので、充分な電池残容量があるにもかかわらず、ユーザが不要な充電操作を繰り返してしまう「サイクル劣化」により電池容量が劣化することを軽減することができる。
【００３８】
また、上述した実施形態によれば、充電池６への充電が検出された際に、充電池６の残量が８０％より少ないと検出され、かつ現在時刻がユーザの就寝時間帯であると判定され、かつアラーム設定があると判定され、かつアラーム時刻までに充電が完了すると判定された場合には、充電完了から起床時までの長時間を満充電のまま保存してしまう「保存劣化」により電池容量が劣化する旨を警告するメッセージとともに、充電の要否を表示部３に表示し、ユーザが充電の要を入力した場合に充電を開始し、ユーザが否を入力した場合に充電を実行しないようにしたので、充電完了から起床時までの長時間を満充電のまま保存してしまう「保存劣化」により電池容量が劣化することを軽減することができる。
【００３９】
また、上述した実施形態によれば、充電池６への充電が検出された際に、充電池の残量が所定の値より少ないと検出された場合に、現在時刻がユーザの就寝時間帯に含まれないと判定されるか、またはアラーム設定がないと判定されるか、またはアラーム時刻までに充電が完了しないと判定される場合には、表示部３に充電の要否を表示することなく、すぐに充電を開始するようにしたので、ユーザの利便性を低下させることなく、
【００４０】
また、上述した実施形態によれば、アラーム時刻が設定されている場合、現在時刻とアラーム時刻とに基づいて充電開始時刻を算出し、充電の要の入力を検出した場合に、充電開始時刻に充電を開始するようにしたので、充電完了から起床時までの長時間を満充電のまま保存してしまう「保存劣化」により電池容量が劣化することを軽減することができる。
【００４１】
また、上述した実施形態によれば、就寝時間帯をユーザにより設定変更可能にするようにしたので、例えば、仕事の時間帯が夜で、就寝が朝の場合であるように、携帯電話機１の使用状態に違いがあっても柔軟に対応することができる。
【００４２】
なお、本発明の実施形態では、電子機器として携帯電話機に適用した例であるが、充電可能な二次電池を搭載した電子機器であれば、携帯電話機・スマートフォンに限らず、例えば、デジタルカメラ、ゲーム機、タブレットＰＣ（Ｐｅｒｓｏｎａｌ  Ｃｏｍｐｕｔｅｒ）、ノートＰＣ、ＰＤＡ（Ｐｅｒｓｏｎａｌ  Ｄａｔａ  Ａｓｓｉｓｔａｎｔｓ：携帯情報端末）、その他の電子機器等にも幅広く適用できる。
【００４３】
以下、本発明の特徴を付記する。
上記の実施形態の一部又は全部は、以下の付記のようにも記載されうるが、以下には限られない。
（付記１）
図８は、付記１の構成図である。ここで、図８と図２との対応について説明する。図８に示す充電部２１、設定状態判定部２２、電池残量検出部２５、制御部２６は、図２のＬＳＩ７に相当し、図５の入力検出部２４は、図２のタッチパネル９に相当する。
【００４４】
この図に示すように、付記１記載の発明は、
充電池２０と、
前記充電池への充電を検出し、前記充電池へ充電するか否かを制御する充電部２１と、
電子機器の設定状態を判定する設定状態判定部２２と、
表示部２３と、
入力検出部２４と、
前記充電池２０の電池残量を検出する電池残量検出部２５と、
前記充電部が充電を検出した際に、前記電池残量検出部２５によって前記充電池２０の残量が所定の値以上であると検出された場合、あるいは、前記電池残量検出部２５によって前記充電池２０の残量が所定の値より少ないと検出されかつ前記設定状態判定部２２によって当該電子機器の設定状態が所定の状態であると判定された場合に、前記表示部２３に充電の要否を表示し、該表示後に、前記入力検出部２４が充電の要の入力を検出した場合に前記充電部２１に充電開始を指示する一方、前記入力検出部２４が否の入力を検出した場合に前記充電部２１に充電停止を指示する制御部２６と
を備えることを特徴とする電子機器である。
【００４５】
（付記２）
前記制御部は、前記充電部が充電を検出した際に、前記電池残量検出部によって前記充電池の残量が所定の値より少ないと検出され、かつ前記設定状態判定部によって当該電子機器の設定状態が所定の状態でないと判定された場合に、前記表示部に充電の要否を表示することなく、前記充電部に充電開始を指示する、ことを特徴とする請求項１に記載の電子機器である。
【００４６】
（付記３）
前記設定状態判定部は、現在時刻が当該電子機器に予め設定されているユーザの就寝時間帯に含まれない場合に、前記所定の状態でないと判定する、ことを特徴とする付記２に記載の電子機器である。
【００４７】
（付記４）
前記設定状態判定部は、更に、当該電子機器にアラーム設定がない場合に、前記所定の状態でないと判定する、ことを特徴とする付記３に記載の電子機器である。
【００４８】
（付記５）
前記設定状態判定部は、更に、現時点から充電を開始した場合に、アラーム時刻までに充電が完了しない場合に、前記所定の状態でないと判定する、ことを特徴とする付記４に記載の電子機器である。
【００４９】
（付記６）
前記制御部は、前記充電部が充電を検出した際に、前記電池残量検出部によって前記充電池の残量が所定の値より少ないと検出され、かつ前記設定状態判定部によって、現在時刻が前記ユーザの就寝時間帯であると判定され、かつアラーム設定があると判定され、かつアラーム時刻までに充電が完了すると判定された場合には、前記表示部に充電の要否を表示し、該表示後に、前記入力検出部が充電の要の入力を検出した場合に前記充電部に充電開始を指示する一方、前記入力検出部が否の入力を検出した場合に前記充電部に充電停止を指示する、ことを特徴とする付記５に記載の電子機器である。
【００５０】
（付記７）
現在時刻とアラーム時刻とに基づいて、充電開始時刻を算出する充電開始時刻算出部を更に備え、前記制御部は、前記入力検出部が充電の要の入力を検出した場合に、前記充電開始時刻算出部によって算出された充電開始時刻に、前記充電部に充電開始を指示する、ことを特徴とする付記６に記載の電子機器である。
【００５１】
（付記８）
前記制御部は、前記表示部に充電の要否を表示する際に、このまま充電を開始すると電池容量劣化につながる旨の警告を前記表示部に表示する、ことを特徴とする付記１から７のいずれかに記載の電子機器である。
【００５２】
（付記９）
充電池と表示部と入力検出部とを備える電子機器での前記充電池への充電を制御する充電制御方法であって、前記充電池への充電を検出する充電検出ステップと、前記電子機器の設定状態を判定する設定状態判定ステップと、前記充電池の電池残量を検出する電池残量検出ステップと、前記充電池への充電が検出された際に、前記充電池の残量が所定の値以上であると検出された場合、あるいは、前記充電池の残量が所定の値より少ないと検出されかつ前記電子機器の設定状態が所定の状態であると判定された場合に、前記表示部に充電の要否を表示し、該表示後に、前記入力検出部によって充電の要の入力が検出された場合に前記充電池への充電を開始する一方、前記入力検出部によって否の入力が検出された場合に前記充電池への充電を停止する制御ステップと、を備えることを特徴とする充電制御方法である。
【００５３】
（付記１０）
充電池と表示部と入力検出部とを備える電子機器のコンピュータに、前記充電池への充電を検出する充電検出機能、前記電子の設定状態を判定する設定状態判定機能、前記充電池の電池残量を検出する電池残量検出機能、前記充電池への充電が検出された際に、前記充電池の残量が所定の値以上であると検出された場合、あるいは、前記充電池の残量が所定の値より少ないと検出されかつ前記電子の設定状態が所定の状態であると判定された場合に、前記表示部に充電の要否を表示し、該表示後に、前記入力検出部によって充電の要の入力が検出された場合に前記充電池への充電を開始する一方、前記入力検出部によって否の入力が検出された場合に前記充電池への充電を停止する制御機能、を実行させることを特徴とするプログラムである。
【符号の説明】
【００５４】
１  携帯電話機
２  充電端子挿入口
３  表示部（ＬＣＤ）
４  充電ケーブル
５  充電用端子部
６  充電機能ＯＮ／ＯＦＦ切替えＦＥＴ
７  ＬＳＩ
８  充電池
９  タッチパネル
２０  充電池
２１  充電部
２２  設定状態判定部
２３  表示部
２４  入力検出部
２５  電池残量検出部
２６  制御部
【図１】
2014168327.tif 000003
【図２】
2014168327.tif 000004
【図３】
2014168327.tif 000005
【図４】
2014168327.tif 000006
【図５】
2014168327.tif 000007
【図６】
2014168327.tif 000008
【図７】
2014168327.tif 000009
【図８】
2014168327.tif 000010